(57)【要約】【課題】屋内の空気を、雪を利用して効果的に加湿することができる加湿システムを提供する。【解決手段】雪Ｓを収容する収容庫２が備えられ、該雪収容庫２内は、仕切り３で上側の雪収容室４と、雪収容室で融けた水を貯留する下側の融雪水貯留室５とに区画され、雪収容室４と融雪水貯留室５とがそれぞれ建物１の屋内に連通し、屋内の空気を融雪水貯留室５を通じて雪収容室４に送り込み、融雪水貯留室４及び雪収容室５で加湿された空気を屋内に送り込むファン１１が備えられている。【選択図】      図１
2005106402.tif 000002
【特許請求の範囲】
【請求項１】
雪を収容する収容庫が備えられ、該雪収容庫内は建物の屋内と連通され、
屋内の空気を融雪水貯留室を通じて雪収容室に送り込み、雪収容庫内で加湿された空気を屋内に送り込むファンが備えられていることを特徴とする、雪を利用した加湿システム。
【請求項２】
雪を収容する収容庫が備えられ、該雪収容庫内は、仕切りで上側の雪収容室と、雪収容室で融けた水を貯留する下側の融雪水貯留室とに区画され、雪収容室と融雪水貯留室とがそれぞれ建物の屋内に連通し、
屋内の空気を融雪水貯留室を通じて雪収容室に送り込み、融雪水貯留室及び雪収容室で加湿された空気を屋内に送り込むファンが備えられていることを特徴とする、雪を利用した加湿システム。
【請求項３】
雪収容室の雪に水を供給する加湿促進用の水供給手段が備えられている請求項１又は２に記載の、雪を利用した加湿システム。
【請求項４】
前記水供給手段がシャワーからなり、庫内の上方からシャワー状の水が雪に供給されるようになされている請求項３に記載の、雪を利用した加湿システム。
【請求項５】
供給用の水が、庫内の雪の融雪水からなる請求項３又は４に記載の、雪を利用した加湿システム。
【請求項６】
雪収容庫内に、融雪水貯留室と雪収容室の雪の上方空間部とを雪を貫通して連通させる空気導通管が備えられている請求項２乃至４のいずれか一に記載の、雪を利用した加湿システム。
【発明の詳細な説明】
【技術分野】
【０００１】
本発明は、雪を利用した加湿システムに関する。
【背景技術】
【０００２】
北海道等の寒冷地でなくとも、冬期には空気が乾燥することから、健康等のためにその対策を講じる必要があり、従来より、種々の方法で加湿が行われている。一方で、北海道等の寒冷地では、冬期に雪が豊富にあり、その処置や利用について種々研究が進められている状況にある。
【発明の開示】
【発明が解決しようとする課題】
【０００３】
本発明は、上記のような背景において、屋内の空気を、雪を利用して効果的に加湿することができる加湿システムを提供することを課題とする。
【課題を解決するための手段】
【０００４】
本発明は、発明者らが、冬期の寒い北海道において、雪収容庫に雪を収容しておくと、屋内の湿度が２０°Ｃ、湿度が２５％であるなかで、雪収容庫内の空気の温度が１５°Ｃと比較的高く、しかも、その湿度が７０〜８０％にも及んでいるという事実に接し、種々の調査と研究を重ねた結果、雪収容庫内の空気を加湿に使えるという確信を得て完成されたものである。
【０００５】
即ち、上記の課題は、雪を収容する収容庫が備えられ、該雪収容庫内は建物の屋内と連通され、
屋内の空気を融雪水貯留室を通じて雪収容室に送り込み、雪収容庫内で加湿された空気を屋内に送り込むファンが備えられていることを特徴とする、雪を利用した加湿システムによって解決される。
【０００６】
この加湿システムでは、雪収容庫内に送り込まれた屋内空気が、雪の収容された雪収容庫内の環境下にさらされることによって加湿され、その加湿された空気が屋内に送り込まれることにより、屋内が効果的に加湿されていく。
【０００７】
しかも、本発明の加湿システムは冬期の乾燥状態における空気の加湿をターゲットにしたものであり、冬期には屋内が暖房されるため、暖かい空気が雪収容庫内に送り込まれて雪収容庫内の雪を融かす作用を行い、その作用も手伝って、雪収容庫内での空気の加湿が促進され、屋内が効果的に加湿されていく。
【０００８】
因みに、発明者らの研究によれば、冬期の北海道において、雪収容庫から送り出される空気の温度が１５°Ｃで湿度が７０〜８０％であって、この加湿空気を温度２０°Ｃに上昇させたうえで、温度が２０°Ｃで湿度が２５％の屋内に送り込んだ場合に、屋内の湿度が５０％にまで高められることが確認されている。
【０００９】
また、上記の課題は、雪を収容する収容庫が備えられ、該雪収容庫内は、仕切りで上側の雪収容室と、雪収容室で融けた水を貯留する下側の融雪水貯留室とに区画され、雪収容室と融雪水貯留室とがそれぞれ建物の屋内に連通し、
屋内の空気を融雪水貯留室を通じて雪収容室に送り込み、融雪水貯留室及び雪収容室で加湿された空気を屋内に送り込むファンが備えられていることを特徴とする、雪を利用した加湿システムによって、より効果的に解決される。
【００１０】
この加湿システムでは、屋内の空気が、雪収容室のみならず、融雪水貯留室をも通過するようになされているので、融雪水貯留室においても加湿され、各室でのダブル加湿効果によって、屋内の空気をより一層効果的に加湿することができる。
【００１１】
また、雪収容室の雪に水を供給する加湿促進用の水供給手段が備えられている場合は、この手段による雪への水の供給によって加湿作用をより一層高いものにすることができる。特に、この水供給手段がシャワーからなり、庫内の上方からシャワー状の水が雪に供給されるようになされている場合は、水供給による加湿促進作用を雪収容庫内の雪に広く及ぼすことができて、効果的に加湿を促進させることができる。また、供給用の水が、庫内の雪の融雪水からなる場合は、水の安定確保が容易になる。
【００１２】
雪収容庫内に、融雪水貯留室と雪収容室の雪の上方空間部とを雪を貫通して連通させる空気導通管が備えられている場合は、融雪水貯留室内に送り込まれた屋内空気を雪収容室内の行きに妨げられることなく雪収容室内の上方空間に送り込むことができ、加湿システムにおける空気の流れを速い安定したものにすることができて、屋内の加湿速度を高めることができると共に、高められた湿度を安定良く維持することが可能となる。
【発明の効果】
【００１３】
本発明の加湿システムは、以上のとおりのものであるから、屋内の空気を、雪を利用して効果的に加湿することができる。
【発明を実施するための最良の形態】
【００１４】
次に、本発明の実施最良形態を図面に基づいて説明する。
【００１５】
図１及び図２に示す実施形態の加湿システムにおいて、１は建物であり、２は雪収容庫であり、雪収容庫２は、仕切りとしてのスノコ３によって、上側の雪収容室４と、下側の融雪水貯留室５とに区画され、スノコ３を通じて、雪収容室４からの融雪水が融雪水貯留室５に送り込まれるようになされている。
【００１６】
また、雪収容室４内の上方空間部には、水供給手段としてのシャワー管６が設置され、このシャワー管６は、配管７で融雪水貯留室５内に延ばされ、ポンプＰを駆動することにより、融雪水貯留室５に溜められた融雪水がシャワー管６からシャワー水となって雪収容室４内の雪Ｓの上面部に散水されるようになされている。
【００１７】
更に、雪収容室４には、融雪水貯留室５と雪収容室４の雪Ｓの上方空間部とを雪Ｓを貫通して連通させる扁平な仕切り板状の空気導通管８…が備えられていて、融雪水貯留室５内が雪Ｓに妨げられることなく雪収容室４内の上方空間部と連通されるようになされている。
【００１８】
そして、雪収容室４内の上方空間部と建物１の屋内とがダクト９などで連通されると共に、融雪水貯留室５と建物１の屋内もダクト１０などで連通され、ファン１１により、建物１の屋内の空気が融雪水貯留室５を通じて雪収容室４内の上方空間部に送り込まれ、それが建物１の屋内に送り返されるようになされている。また、建物１の屋内に送り込まれる空気を屋内の温度まで加温するヒーター１２が備えられている。なお、１３は雪投入口である。
【００１９】
上記の加湿システムでは、図１に示すように、ファン１１を駆動し、ポンプＰも駆動すると、屋内の空気が融雪水貯留室５内に送り込まれ、そこでまず加湿され、空気導通管８…を通過して雪収容室４の上方空間部に送り込まれてそこでも加湿され、こうして加湿された空気が建物１の屋内に戻され、屋内が加湿されていく。
【００２０】
しかも、この加湿の過程で、建物の屋内から融雪水貯留室５内に送り込まれる屋内空気は暖房で暖められているので、融雪水貯留室５から雪収容室４内の雪Ｓが加温されること、また、空気導通管８…を屋内空気が上昇して雪収容室４内の雪Ｓが加温されること、更に、雪収容室４内の雪Ｓがシャワー管６からのシャワー水を上方から受けること、このシャワー水が融雪水貯留室５の比較的暖かい庫内の融雪水Ｗであることによって、雪収容室４内の雪の融けが促進され、それによって、雪収容庫２内での加湿効果が高められて、建物１の屋内が効果的に加湿されていく。
【００２１】
特に、空気導通管８として扁平な仕切り板状管が用いられているので、屋内空気と空気導通管８との接触面積も、空気導通管８…と雪Ｓの接触面積も、それぞれ広く確保することができて、屋内空気の熱を雪Ｓに効果的に伝えることができて雪収容庫２内における加湿を効果的に促進することができる。
【００２２】
なお、屋内に返される加湿空気はヒーター１２で屋内温度まで加温されるが、その程度の加温で屋内の加湿が妨げられることはない。
【図面の簡単な説明】
【００２３】
【図１】実施形態の加湿システムの作動状態を示す断面正面図である。
【図２】同システムにおける雪収容庫内の構造を示す断面側面部である。
【符号の説明】
【００２４】
１…建物
２…雪収容庫
３…スノコ（仕切り）
４…雪収容室
５…融雪水貯留室
６…シャワー管
８…空気導通管
１１…ファン
【図１】
2005106402.tif 000003
【図２】
2005106402.tif 000004